(57)【要約】 【課題】ディスプレイの大きさに関わらず、空気調和機の動作状態の直感的に把握可能な温度表示装置を提供する。【解決手段】ディスプレイ１７と、空気調和機２の室内機５内の複数箇所に分散して配置され、各々が温度を検出する複数の温度センサと、複数の温度センサの検出温度の各々を、ディスプレイ１７の表示面に予め定められた所定方向に沿って、温度の検出時に室内機５の冷媒が流れる向きの最上流に位置している温度センサの検出温度から順番に並ぶようにディスプレイ１７に表示する表示制御部１９とを備えるようにした。【選択図】図１
2019158181.tif 000002
【特許請求の範囲】
【請求項１】
ディスプレイと、
室内機内の冷媒が流れる流路に沿って配置された複数のセンサからの検出値を受け付ける受付部と、
前記検出値を、前記室内機の冷房運転または暖房運転によって定められる冷媒が流れる向きにおいて上流側に位置しているセンサから下流側に位置しているセンサの順に、前記ディスプレイ上に予め定められた所定の方向に沿って、前記ディスプレイに表示させる表示制御部とを備えることを特徴とする表示装置。
【請求項２】
前記所定の方向は、前記ディスプレイの表示面の上側から下側に向かう方向であることを特徴とする請求項１に記載の表示装置。
【発明の詳細な説明】
【技術分野】
【０００１】
本発明は、表示装置に関する。
【背景技術】
【０００２】
従来、空気調和機の動作状態を直感的に把握可能とする技術としては、例えば、室内機が検知した温度をグラフで表示する表示装置がある（例えば特許文献１参照）。こういった技術を基にして、例えば室内機内に配置された温度センサの配置図と温度センサが検出した温度とをグラフィカルに表示する表示装置が考えられる。
こうすることで例えば管理者やサービスマンはグラフィカルな表示から直感的に機器の状態を把握することができる。
しかしながら、上記の表示装置は、温度のグラフや温度センサの配置図等をグラフィカルに表示するため、大型のディスプレイが必要になりコスト高になるという問題があった。
【先行技術文献】
【特許文献】
【０００３】
【特許文献１】国際公開第２０１５／１１１２０４号
【発明の概要】
【発明が解決しようとする課題】
【０００４】
本発明は、上記のような課題に着目したもので、小型のディスプレイであっても、空気調和機の状態を直感的に把握できる表示装置を提供することを目的とする。
【課題を解決するための手段】
【０００５】
上記課題を解決するために、本発明の一態様は、（ａ）ディスプレイと、（ｂ）室内機内の冷媒が流れる流路に沿って配置された複数のセンサからの検出値を受け付ける受付部と、（ｃ）検出値を、室内機の冷房運転または暖房運転によって定められる冷媒が流れる向きにおいて上流側に位置しているセンサから下流側に位置しているセンサの順に、ディスプレイ上に予め定められた所定の方向に沿って、ディスプレイに表示させる表示制御部とを備える表示装置であることを要旨とする。
【発明の効果】
【０００６】
本発明によれば、例えばセンサを温度センサとした場合、冷房運転時には、表示面の所定方向に沿って、温度センサの検出温度の数値が温度の低い順に並ぶことになるため、冷媒が室内機内を流れ、冷媒が徐々に暖まる様子を直感的に把握できる。また、暖房運転時には、表示面の所定方向に沿って、温度センサの検出温度の数値が温度の高い順に並ぶため、冷媒が室内機内を流れ、冷媒が徐々に冷える様子を直感的に把握できる。それゆえ、本発明は、ディスプレイの大きさに関わらず、空気調和機の動作状態の直感的に把握可能な温度表示装置を提供できる。
【図面の簡単な説明】
【０００７】
【図１】本発明の実施形態に係る空調制御システムを示す構成図である。
【図２】室内機の内部構成を示す構成図である。
【図３】温度表示処理を示すフローチャートである。
【図４】温度センサの表示状態を説明するための説明図である。
【図５】温度センサの表示状態を説明するための説明図である。
【発明を実施するための形態】
【０００８】
以下、本発明の実施形態に係る温度表示装置について、図面を参照しつつ説明する。
本実施形態では、本発明に係る温度表示装置を、空気調和機のコントローラで実現する。本実施形態では、このようなコントローラを有する空調制御システムを構成した場合を例として説明する。
なお、以下に示す実施形態は、本発明に係る温度表示装置の技術的思想を具体化するための方法や装置を例示するものである。本発明の技術的思想は、構成部品の形状、構造、配置等を下記のものに特定されるものでない。本発明の技術的思想は、請求の範囲に記載された請求項が規定する技術的範囲内において、種々の変更を加えることができる。
【０００９】
（実施形態）
（構成）
図１に示すように、空調制御システム１は、空気調和機２と、コントローラ３とを備えている。空気調和機２の室内機５及びコントローラ３は、同一の室内に設置されている。
（空気調和機）
空気調和機２は、室外機４と、室内機５とを備えている。室外機４と室内機５は、冷媒配管６で接続されている。また、室内機５は、信号線７を介してコントローラ３と接続されている。そして、空気調和機２は、信号線７を介してコントローラ３から信号を取得し、取得した信号に従い室温が設定温度に維持されるように冷暖房の運転を行う。
また図２に示すように、室内機５内には、各々が温度を検出値として検出する複数の温度センサ８、９、１０を備えている。複数の温度センサ８、９、１０は、室内機５内の複数箇所に分散して配置されている。具体的には、各温度センサ８、９、１０は、室内機５内を流れる冷媒の流路に沿うように、冷媒の流路の複数箇所に分散して配置されている。
【００１０】
温度センサ８（以下「第１温度センサ８」とも呼ぶ）は、液管６ａが熱交換器１１に接続される接続部１２に配置されている。第１温度センサ８は、接続部１２内を流れる冷媒の温度を検出値として検出する。
温度センサ９（以下「第２温度センサ９」とも呼ぶ）は、熱交換器１１に配置されている。第２温度センサ９は、熱交換器１１内を流れる冷媒の温度を検出値として検出する。
温度センサ１０（以下「第３温度センサ１０」とも呼ぶ）は、ガス管６ｂが熱交換器１１に接続される接続部１３に配置されている。第１温度センサ８は接続部１３内を流れる冷媒の温度を検出値として検出する。
第１温度センサ８、第２温度センサ９及び第３温度センサ１０は、信号線７を介して検出温度（つまり、室内機５内の各部における冷媒の温度）をコントローラ３に出力する。
【００１１】
（コントローラ）
コントローラ３は、受付部１４と、タッチパネル１５と、制御部１６とを備えている。
受付部１４は、室内機５内に配置された第１温度センサ８と、第２温度センサ９と、第３温度センサ１０の検出値を信号線７を介して受け付ける。
タッチパネル１５は、ディスプレイ１７と、タッチセンサ１８とを有している。
制御部１６は、表示制御部１９を含むハードウェア資源を論理的に備えている。制御部１６としては、例えば、マイコンを採用できる。図１では、表示制御部１９は、機能に着目したハードウェアとして表現している。即ち、図１の表現は、必ずしも物理的な構造として存在する機能ブロックを意味するものではなく、ソフトウェアで実現されるものであってもよい。
【００１２】
表示制御部１９は、運転モードや設定温度の入力をユーザーに要求する設定画面をディスプレイ１７に表示させる。表示制御部１９は、タッチセンサ１８への入力状態を基に、運転モードや設定温度を指示する信号を、信号線７を介して空気調和機２に出力する。
また、表示制御部１９は、温度表示処理を実行する。温度表示処理では、表示制御部１９が、受付部１４を介して、複数の温度センサ８、９、１０が出力した検出温度Ｔ１、Ｔ２、Ｔ３を取得する。そして、表示制御部１９は、取得した検出温度Ｔ１、Ｔ２及Ｔ３を、ディスプレイ１７に表示させる。温度表示処理の詳細については、後述する。
【００１３】
（温度表示処理）
次に、表示制御部１９が実行する温度表示処理について説明する。
温度表示処理では、図３に示すように、ステップＳ１で、表示制御部１９が、受付部１４を介して、複数の温度センサ８、９及び１０が出力する温度を取得してステップＳ２に移行する。
ステップＳ２では空気調和機２が冷房運転中であるか、暖房運転中であるかを表示制御部１９が判定する。これにより、図２に示すように、室内機５内における、温度検出時の冷媒が流れる向きを決定する。そして、表示制御部１９が、冷房運転中であると決定した場合（冷房）には、図２に実線で示すように、温度検出時の冷媒が流れる向きが接続部１２→熱交換器１１→接続部１３であると表示制御部１９が決定し、ステップＳ３に移行する。一方、表示制御部１９が、暖房運転中であると判定した場合（暖房）には、図２に破線で示すように、温度検出時の冷媒が流れる向きが接続部１３→熱交換器１１→接続部１２であると表示制御部１９が決定し、ステップＳ４に移行する。
【００１４】
ステップＳ３では、表示制御部１９が、ステップＳ１で取得した温度を基に、図４に示すように、第１温度センサ８の検出温度Ｔ１、第２温度センサ９の検出温度Ｔ２及び第３温度センサ１０の検出温度Ｔ３をセンサの名称と共にディスプレイ１７に表示させる。検出温度Ｔ１、Ｔ２及びＴ３を表示した後、ステップＳ１に戻る。具体的には、表示制御部１９が、ディスプレイ１７の表示面に予め定められた所定方向に沿って、検出温度Ｔ１、Ｔ２及びＴ３がＴ１→Ｔ２→Ｔ３の順番に並ぶようにテキスト形式でディスプレイ１７に表示させる。これにより、検出温度Ｔ１、Ｔ２及びＴ３の各々が、室内機５内の冷媒が流れる方向の最上流に位置している温度センサ８の検出温度Ｔ１から順番に並ぶようにディスプレイ１７に表示される。図４では、所定方向としては、ディスプレイ１７の表示面に正対した場合に、図４に矢印で示すように、表示面の上方から下方に向かう方向を用いている。
【００１５】
一方、ステップＳ４では、表示制御部１９が、ステップＳ１で取得した温度を基に、図５に示すように、第１温度センサ８の検出温度Ｔ１、第２温度センサ９の検出温度Ｔ２及び第３温度センサ１０の検出温度Ｔ３をディスプレイ１７に表示させる。検出温度Ｔ１、Ｔ２及びＴ３を表示した後、ステップＳ１に戻る。具体的には、表示制御部１９が、ディスプレイ１７の表示面に予め定められた所定方向に、検出温度Ｔ１、Ｔ２及びＴ３がＴ３→Ｔ２→Ｔ１の順番に並ぶようにテキスト形式でディスプレイ１７に表示させる。これにより、検出温度Ｔ１、Ｔ２及びＴ３の各々が、室内機５内の冷媒が流れる向きの最上流に位置している温度センサ８の検出温度Ｔ１から順番に並ぶようにディスプレイ１７に表示される。図５では、所定方向としては、ディスプレイ１７の表示面に正対した場合に、図５に矢印で示すように表示面の上方から下方に向かう方向を用いている。
なお、本実施形態では、所定方向として、ディスプレイ１７の表示面の上方から下方に向かう方向を用いたが、他の方向を用いることもできる。例えば、ディスプレイ１７の表示面に正対した場合に、表示面の左方から右方に向かう方向を用いていてもよい。
【００１６】
以上説明したように、本発明の実施形態に係るコントローラ３（温度表示装置）が、検出温度Ｔ１、Ｔ２、Ｔ３の各々を、テキスト形式で表示するようにした。また、ディスプレイ１７の表示面に予め定められた所定方向に、テキスト形式の検出温度Ｔ１、Ｔ２、Ｔ３が並ぶようにした。さらに、温度検出時に室内機５内の冷媒が流れる向きの最上流に位置している温度センサ８又は１０の検出温度Ｔ１から順番に、数値が並ぶようにした。ここで、空気調和機２が正常に動作している場合、冷房運転時には、冷却された冷媒が、接続部１２→熱交換器１１→接続部１３と順番に流れる。それゆえ、検出温度Ｔ１、Ｔ２、Ｔ３の大小関係が、冷媒が室内機５内を流れ、冷媒が徐々に暖まることで、Ｔ１＜Ｔ２＜Ｔ３となる。そのため、最上流に位置している温度センサ８の検出温度Ｔ１又はＴ３から順番に、検出温度Ｔ１、Ｔ２、Ｔ３が並べられることにより、温度の低い順に検出温度Ｔ１、Ｔ２、Ｔ３が並ぶことになる。したがって、空気調和機２の点検時等に、空気調和機２の冷媒回路において、冷媒が室内機５内を流れ、冷媒が徐々に暖まる様子を、サービスマンが冷媒回路をイメージしながら確認することで直感的かつ確実に数値を把握できる。
【００１７】
同様に、空気調和機２が正常に動作している場合、暖房運転時には、暖められた冷媒が、接続部１３→熱交換器１１→接続部１２と順番に流れる。それゆえ、複数の温度センサ８、９、１０の検出温度Ｔ３、Ｔ２、Ｔ１が、冷媒が室内機５内を流れ、冷媒が徐々に冷えることで、Ｔ１＜Ｔ２＜Ｔ３となる。そのため、最上流に位置している温度センサ８、９、１０の検出温度から順番に、検出温度Ｔ１、Ｔ２、Ｔ３が並べられることにより、温度の高い順に検出温度Ｔ３、Ｔ２、Ｔ１が並ぶことになる。したがって、空気調和機２の冷媒回路において、冷媒が室内機５内を流れ、冷媒が徐々に冷える様子を、サービスマンが、直感的に把握しやすい。また、例えば、空気調和機２に異常が発生し、Ｔ１＜Ｔ２＜Ｔ３の大小関係が崩れた場合に、サービスマンが、この大小関係が崩れたことを簡単に把握できる。その結果、サービスマンが、空気調和機２の異常を直感的に把握しやすくなり、修理やメンテナンスを適切に行うことができる。
それゆえ、本発明の実施形態は、ディスプレイ１７の大きさに関わらず、空気調和機２の動作状態の直感的に把握可能なコントローラ３（温度表示装置）を提供できる。
【００１８】
また、本発明の実施形態に係るコントローラ３（温度表示装置）では、複数の温度センサ８、９、１０の検出温度を並べる所定方向は、ディスプレイ１７の表示面に正対した場合に、表示面の上側から下側に向かう方向とした。それゆえ、例えば、横書きのテキスト形式で各温度センサ８、９、１０の検出温度が表される場合に、ディスプレイ１７が、横書きで表された各温度センサ８、９、１０の検出温度を一画面内により多く表示できる。
尚、本実施例ではセンサとして温度センサを用いた場合を説明したが、これに限るものではなく、例えば冷媒の圧力を検出する圧力センサ等を用いてもよい。
【符号の説明】
【００１９】
１…空調制御システム、２…空気調和機、３…コントローラ、４…室外機、５…室内機、６…冷媒配管、６ａ…液管、６ｂ…ガス管、７…信号線、８、９、１０…温度センサ（第１温度センサ、第２温度センサ、第３温度センサ）、１１…熱交換器、１２、１３…接続部、１４…受付部、１５…タッチパネル、１６…制御部、１７…ディスプレイ、１８…タッチセンサ、１９…表示制御部
【図１】
2019158181.tif 000003
【図２】
2019158181.tif 000004
【図３】
2019158181.tif 000005
【図４】
2019158181.tif 000006
【図５】
2019158181.tif 000007